(57)【要約】【課題】外力の影響を受けにくく、且つ、見栄えのよいスプリンクラヘッドを提供する。【解決手段】放水口２を有するヘッド本体３と、該放水口２を閉鎖するコーン５と、該コーン５を押圧して閉弁状態にするグラスバルブ６と、前記ヘッド本体３のフランジ７に固定され、前記グラスバルブ６を覆う有底筒状のフレーム１０であって、周方向に間隔をおいて複数の長孔２０が形成されているフレーム１０と、前記フレーム１０の頂板部１０ｃに設けられ、前記グラスバルブ６を閉弁方向に押圧する固定ねじ１２と、前記コーン５の落下ガイド手段１４と、を備えている。【選択図】  図１
2006280422.tif 000002
【特許請求の範囲】
【請求項１】
放水口を有するヘッド本体と、
該放水口を閉鎖するコーンと、
該コーンを押圧して閉弁状態にするグラスバルブと、
前記ヘッド本体のフランジに固定され、前記グラスバルブを覆う有底筒状のフレームであって、周方向に間隔をおいて複数の散水口が形成されているフレームと、
前記フレームの頂板部に設けられ、前記グラスバルブを閉弁方向に押圧する締付固定部材と、
前記コーンの落下ガイド手段と、
を備えていることを特徴とするスプリンクラヘッド。
【請求項２】
散水口が、フレームの円筒部と逆円錐台部に亘って形成された長孔と、フレームの逆円錐台部に形成された逃がし口と、からなることを特徴とする請求項１記載のスプリンクラヘッド。
【請求項３】
グラスバルブが、散水口と対応する位置に配設されていることを特徴とする請求項１，又は、２記載のスプリンクラヘッド。
【請求項４】
コーンの落下ガイド手段が、コーンを貫通して先端がヘッド本体に圧入保持される、又は、コーンに固定される、ガイドロッドであり、
該ガイドロッドの所定の位置には、コーンの落下を規制するストッパが設けられていることを特徴とする請求項１、２，又は、３記載のスプリンクラヘッド。
【請求項５】
ストッパの位置が、落下したコーンを、フレーム内の底面から所定の高さだけ浮かせた状態で停止させることを特徴とする請求項4記載のスプリンクラヘッド。
【請求項６】
ストッパの位置が、調整可能であることを特徴とする請求項４記載のスプリンクラヘッド。
【発明の詳細な説明】
【技術分野】
【０００１】
この発明は、消火設備に設けられているスプリンクラヘッドに関するものであり、特に、感熱部がグラスバルブで形成されている閉鎖型スプリンクラヘッドに関するものである。
【背景技術】
【０００２】
従来、スプリンクラヘッドのタイプとして、マルチタイプとフレームタイプが知られている（例えば、特許文献１参照）。
マルチタイプのスプリンクラヘッドは、放水口を有するヘッド本体と、該放水口を閉鎖する弁体と、ヘッド本体下部のフランジに固定され、複数のスリットを有する椀状のデフレクタと、低融点合金、一対のレバー、シリンダ、プランジャー等からなる感熱分解部と、該感熱分解部に連続する集熱部と、を備えている。このスプリンクラヘッドでは、火災の熱により低溶融合金が溶融することにより、感熱分解部が分解し、放水口が開かれる。
【０００３】
又、フレームタイプのスプリンクラヘッドは、上部に放水口を有し、下部に馬蹄形のフレームを形成したヘッド本体と、該放水口を閉鎖する弁体と、フレームの底部中央に設けられた締め付けねじと、該締め付けねじにより押圧され、前記弁体を閉弁方向に付勢するグラスバルブと、該フレームの底部に固定されたデフレクタと、を備えている。
【０００４】
【特許文献１】特開平１１−２０６９０７
【発明の開示】
【発明が解決しようとする課題】
【０００５】
従来のマルチタイプのスプリンクラヘッドは、リンク機構部品を有するため、部品点数が多い。そのため、フレームタイプのスプリンクラヘッドに比べ、構造が複雑である上、コストが高くなる、又、薄肉板状の集熱部やリンク機構部品がデフレクタの外に露出しているので、外力の影響を受け易い、という問題がある。
一方、フレームタイプのスプリンクラヘッドは、マルチタイプのスプリンクラヘッドより部品点数が少ないので、コストは安い。しかし、このタイプでは、グラスバルブが露出しているので、外力の影響を受けやすく、又、見栄えも悪く、美観上の問題がある。
【０００６】
この発明は、上記事情に鑑み、外力の影響を受けにくく、且つ、見栄えのよいスプリンクラヘッドを提供することを目的とする。
【課題を解決するための手段】
【０００７】
この発明は、放水口を有するヘッド本体と、該放水口を閉鎖するコーンと、
該コーンを押圧して閉弁状態にするグラスバルブと、前記ヘッド本体のフランジに固定され、前記グラスバルブを覆う有底筒状のフレームであって、周方向に間隔をおいて複数の散水口が形成されているフレームと、前記フレームの頂板部に設けられ、前記グラスバルブを閉弁方向に押圧する締付固定部材と、前記コーンの落下ガイド手段と、を備えていることを特徴とする。
【０００８】
この発明の散水口が、フレームの円筒部と逆円錐台部に亘って形成された長孔と、フレームの逆円錐台部に形成された逃がし口と、からなることを特徴とする。この発明のグラスバルブが、散水口と対応する位置に配設されていることを特徴とする。
【０００９】
この発明のコーンの落下ガイド手段が、コーンを貫通して先端がヘッド本体に圧入保持される、又は、コーンに固定される、ガイドロッドであり、該ガイドロッドの所定の位置には、コーンの落下を規制するストッパが設けられていることを特徴とする。この発明のストッパの位置が、落下したコーンを、フレーム内の底面から所定の高さだけ浮かせた状態で停止させることを特徴とする。この発明のストッパの位置が、調整可能であることを特徴とする。
【発明の効果】
【００１０】
この発明は、グラスバルブを覆う有底筒状のデフレクタを備えているので、該グラスバルブは外力の影響を受けにくく、又、外部から見えないので、見栄えが良くなり、美感が向上する。又、感熱部としてグラスバルブを用いるので、マルチタイプに比べ、コストが安くなる。
【発明を実施するための最良の形態】
【００１１】
本発明者は、従来例の問題を解決するためには、フレームタイプのスプリンクラヘッドの利点と、マルチタイプのスプリンクラヘッドの利点とを併せ持つスプリンクラヘッドにすれば良い、と考え研究実験を重ねた。
その結果、放水口を有するヘッド本体と、該放水口を閉鎖するコーンと、該コーンを押圧して閉弁状態にするグラスバルブと、前記ヘッド本体のフランジに固定され、前記グラスバルブを覆う有底筒状のフレームであって、周方向に間隔をおいて複数の散水口が形成されているフレームと、前記フレームの頂板部に設けられ、前記グラスバルブを閉弁方向に押圧する締付固定部材と、前記コーンの落下ガイド手段とを備えることにより、前記問題を解決できることがわかった。本件発明は、上記知見に基づいてなされたものである。
【実施例】
【００１２】
この発明の第１実施例を図１〜図３により説明する。
図示しない消火設備のスプリンクラ配管には、所定間隔をおいて複数の閉鎖型スプリンクラヘッド１が配設されている。
【００１３】
このスプリンクラヘッド１は、放水口２を有するヘッド本体３と、該放水口２を閉鎖するコーン５と、該コーン５を押圧して閉弁状態にするグラスバルブ６と、前記ヘッド本体３のフランジ７に固定され、前記グラスバルブ６を覆う有底筒状のフレーム１０と、前記グラスバルブ６を閉弁方向に押圧する締付固定部材１２と、前記コーン５の落下ガイド手段のガイドロッド１４と、を備えている。
【００１４】
ヘッド本体３の放水口２の外周面には、図示しない配管に螺着するためのねじ部３ａが形成されており、又、図示しない弁座近傍には、ガイドロッド１４の先端部を圧入保持するための孔３ｂが、周方向に等間隔をおいて３個形成されている。フランジ７の径は、ねじ部３ａの径より大きく形成され、その内周面には、フレーム１０を係止するための係止溝７ａが設けられている。
【００１５】
コーン（弁体）５は、皿ばね１６を介して放水口２の弁座に圧接されている。このコーン５の下面側には、グラスバルブ６の先端部を支持する挿入孔５ａが設けられ、又、その外周側には、ガイドロッド１４が遊嵌合される貫通孔５ｂが、周方向に等間隔をおいて３個設けられている。
【００１６】
グラスバルブ６には、膨張性の液体が封入されている。このグラスバルブ６の先端は、コーン５の挿入孔５ａに挿入され、その後端は、締付固定部材、例えば、ドライバ溝１２ａの付いた固定ねじ１２、により閉弁方向に押圧されている。
【００１７】
フレーム１０は、円筒部１０ａと、該円筒部１０ａの下端に連続する逆円錐台部１０ｂと、該円錐台部１０ｂの頂面を閉鎖する頂板部１０ｃと、を備えている。円筒部１０ａの上端部には、前記係止溝７ａに嵌合する係合フランジ１０ｄが設けられている。
【００１８】
フレーム１０には、円筒部10aと逆円錐台部１０ｂに亘って形成された、長方形状の長孔２０が、周方向に所定間隔をおいて複数配設されている。この散水口２０の数、形状、開口面積、配設位置等は、必要に応じて適宜選択される。長孔２０は、グラスバルブ６が効率的に熱気流を感知できるように位置調整され、例えば、長孔２０の高さとグラスバルブ６の高さがほぼ等しくなるようにグラスバルブ６の位置が調整される。
【００１９】
逆円錐台部１０ｂの下部には、周方向に等間隔をおいて３個の逃がし孔２２が設けられている。この逃がし孔２２は、グラスバルブ６が破壊されたときに発生する破片やゴミ等による、散水部分の目詰まりを防止するものであるが、熱気流の出入り口及び散水用のデフレクタとしても機能する。この逃がし孔２２は、前記長孔２０より開口面積の大きい、円形状に形成され、前記長孔２０に連続している。この逃がし孔２２の数、形状、開口面積、配設位置等は、必要に応じて適宜選択される。又、逃がし孔２２は、グラスバルブ６が効率的に熱気流を感知できるように位置調整され、例えば、逃がし孔２２の内側にグラスバルブ６を覗けるようにグラスバルブ６の位置が調整される。さらに、長孔２０と逃がし孔２２は互いに独立して配設しても良い。
【００２０】
頂板部１０ｃの中央には、固定ねじ１２が螺合される、ねじ筒２４が設けられ、又、その外周部側には、ガイドロッド１４を挿入固定するための貫通孔１０ｅが、周方向に等間隔をおいて３個設けられている。
【００２１】
ガイドロッド１４は、コーン５の落下ガイド手段であり、該ガイドロッド１４の先端部は、コーン５の貫通孔５ｂを貫通して孔３ｂに圧入保持され、その下端側には突起状のストッパ２６が設けられている。このストッパ２６は、散水分布を考慮してコーン５の落下停止位置を決めるものであり、ガイドロッド１４は、ストッパ２６が所望の位置に設けられたものが選択される。
【００２２】
例えば、スプリンクラヘッドの感度は、消防検定規格により１種又は２種に区別されるが、１種又は２種より有効半径は大きくする必要がある。この場合、ストッパの位置が異なる少なくとも２種類のガイドロッド１４を使い分けることで、両仕様を満足するスプリンクラヘッドを提供できる。
【００２３】
また、ストッパ２６を図示しないねじ孔付きのナットにし、ガイドロッド１４に図示しないボルト部を形成し、前記ナットを前記ボルト部に螺着することにより、ストッパ２６の位置を自由に調整するようにしても良い。
【００２４】
この実施例の作動時について説明する。
火災が発生し、熱気流が長孔２０及び逃がし孔２２からフレーム１０内に進入し、グラスバルブ６を加熱すると、グラスバルブ６内の液体が膨張し、内部圧力が上昇するので、該グラスバルブ６は破壊される。この時、割れて細かくなったグラスバルブ６の破片は、長孔２０及び逃がし孔２２からフレーム１０外に落下するので、散水の妨げとなることはない。
【００２５】
グラスバルブ６が破壊されると、コーン５が弁座から離れて落下するので、放水口２が開放される。この時、コーン５は、ガイドロッド１４に案内されながら落下し、その途中でストッパ２６により、フレーム１０内の底面より所定の高さだけ浮いた状態で停止する（図３参照）。よって、万一、頂板部１０ｃの内側やねじ筒２４近傍にグラスバルブ６の破片が残った場合でも、コーン５を確実に落下させ、所定の位置に停止させることができる。
【００２６】
放水口２から噴出する消火用水ｗは、コーン５に衝突して進行方向を変えられ、その一部は、長孔２０を通って遠方散水領域に散水ｗ１され、その他は、円筒部１０ａの内壁面に衝突し、逃がし孔２２を通って近傍散水領域に散水ｗ２される。この時、コーン５の位置は、ストッパ２６により調整されているので、所望の散水分布を得ることができる。
【００２７】
この発明の第２実施例を図４により説明するが、図１〜図３と同一図面符号は、その名称も機能も同一である。
この実施例と第１実施例との相違点は次の通りである。
（１）フレーム１０が、嵌め込み式の代わりに、ねじ式であること。即ち、フランジ７の内面に係止溝７ａを形成する代わりに、めねじ部７ｆを形成し、又、フレーム１０の円筒部１０ａの上端部に係合フランジを形成する代わりに、その外周面に前記めねじ部７ｆと螺合するおねじ部１０ｆを形成したこと。
【００２８】
（２）ガイドロッド１４をヘッド本体３に固定する代わりに、コーン５に固定したこと。摺動ロッド３４はガイドリング３０を介してコーン５に固定されている。該摺動ロッド３４の上端側（コーン５側）にはストッパ３６が設けられているが、その配設位置は、コーン５の落下時の停止位置の高さを考慮して決定される。
【００２９】
（３）フレーム１０の頂板部１０ｃには、摺動ロッド３４が遊嵌合される貫通孔１０ｈが設けられていること。
【００３０】
この実施例では、火災の発生によりグラスバルブ６が破壊されると、コーン５は貫通孔１０ｈ内を摺動する摺動ロッド３４とともに、貫通孔１０ｈに案内されながら落下するが、その途中でストッパ３６により、フレーム１０内の底面より所定の高さだけ浮いた状態で停止する。よって、第１実施例と同様にして、コーン５を確実に落下させ、所定位置に停止させることができる。この時、コーン５の位置は、ストッパ３６の配設位置を調整することにより、所望の散水分布を得ることができる。
【図面の簡単な説明】
【００３１】
【図１】本発明の第１実施例を示す縦断面図である。
【図２】底面図である。
【図３】図１と異なる状態（開弁状態）を示す縦断面図である。
【図４】本発明の第２実施例を示す縦断面図である。
【符号の説明】
【００３２】
１    スプリンクラヘッド
２    放水口
３    ヘッド本体
５    コーン
６    グラスバルブ
７    フランジ
10    フレーム
12    固定ねじ
14    ガイドロッド
20    長孔
22    逃がし孔
26    ストッパ
【図１】
2006280422.tif 000003
【図２】
2006280422.tif 000004
【図３】
2006280422.tif 000005
【図４】
2006280422.tif 000006